(57)【要約】【課題】電子内視鏡システム本体に不揮発性可搬記録媒体を着脱自在に装着でき、内視鏡画像や診断情報の記録等を可能にする。【解決手段】患者又は診察に関する情報を入力するキーボード３１と、入力された情報を表示するモニター３２と、被写体像を撮像するスコープ２からの画像信号に対して画像処理を行うビデオプロセッサ４等を備えた電子内視鏡システム１であって、そのビデオプロセッサ４は、ＰＣカード６が着脱可能であると共に、そのＰＣカード６に対して前記患者又は診察に関する情報の記録を行うスロット７等を有するようにした。【選択図】図１
2005013573.tif 000002
【特許請求の範囲】
【請求項１】
患者又は診察に関する情報を入力する入力手段と、
入力された情報を表示する表示手段と、
被写体像を撮像する内視鏡撮像手段からの画像信号に対して画像処理を行う内視鏡画像処理装置と、
を備え、
前記内視鏡画像処理装置は、可搬不揮発性記録媒体が着脱可能であると共に、前記可搬不揮発性記録媒体に対して前記患者又は診察に関する情報の記録を行うアクセス制御手段を有する、
ことを特徴とする電子内視鏡システム。
【請求項２】
前記内視鏡画像処理装置は、
前記内視鏡撮像手段からの画像信号をデジタル画像信号に変換するデジタル画像変換手段と、
前記デジタル画像変換手段からの信号より静止画ファイルを生成する静止画ファイル生成手段と、
を更に備え、
前記アクセス制御手段は、前記可搬不揮発性記録媒体に対して前記静止画ファイルを前記患者又は診察に関する情報と共に記録する手段を有する、
ことを特徴とする請求項１に記載の電子内視鏡システム。
【請求項３】
前記内視鏡画像処理装置は、
前記内視鏡撮像手段からの画像信号をデジタル画像信号に変換するデジタル画像変換手段と、
前記デジタル画像変換手段からの信号より動画ファイルを生成する動画ファイル生成手段と、
を更に備え、
前記アクセス制御手段は、前記可搬不揮発性記録媒体に対して前記動画ファイルを前記患者又は診察に関する情報と共に記録する手段を有する、
ことを特徴とする請求項１に記載の電子内視鏡システム。
【請求項４】
被写体像を撮像する内視鏡撮像手段と、
前記内視鏡撮像手段からの画像信号に対して画像処理を行う内視鏡画像処理装置と、
を備え、
前記内視鏡画像処理装置は、
前記内視鏡撮像手段からの画像信号をデジタル画像信号に変換するデジタル画像変換手段と、
前記デジタル画像変換手段の出力信号から一定領域の画像を抽出する領域抽出手段と、
前記領域抽出手段の抽出領域を設定する領域設定手段と、
前記領域抽出手段からの信号より静止画ファイルを生成する静止画ファイル生成手段と、
可搬不揮発性記録媒体が着脱可能であると共に、前記可搬不揮発性記録媒体に対して前記静止画ファイルの記録を行うアクセス制御手段と、
を有する、
ことを特徴とする電子内視鏡システム。
【請求項５】
被写体像を撮像する内視鏡撮像手段と、
前記内視鏡撮像手段からの画像信号に対して画像処理を行う内視鏡画像処理装置と、
を備え、
前記内視鏡画像処理装置は、
前記内視鏡撮像手段からの画像信号をデジタル画像信号に変換するデジタル画像変換手段と、
前記デジタル画像変換手段からの信号より動画ファイルを生成する動画ファイル生成手段と、
前記動画ファイル生成手段からの動画ファイルを一旦記録するメモリ部と、
前記動画ファイルを可搬不揮発性記録媒体に記録するための指示を行う記録指示手段と、
前記可搬不揮発性記録媒体が着脱可能であると共に、前記記録指示手段による記録指示があった時点から所定時間遡った時点の動画ファイルを前記メモリ部から読み出し前記可搬不揮発性記録媒体に対して該動画ファイルの記録を行うアクセス制御手段と、
を有する、
ことを特徴とする電子内視鏡システム。
【請求項６】
前記内視鏡画像処理装置は、
記録指示があった時点から遡って記録する時間を設定する時間設定手段、
を更に有する、
ことを特徴とする請求項５に記載の電子内視鏡システム。
【請求項７】
被写体像を撮像する内視鏡撮像手段と、
前記内視鏡撮像手段からの画像信号に対して画像処理を行う内視鏡画像処理装置と、
を備え、
前記内視鏡画像処理装置は、
前記内視鏡撮像手段からの画像信号をデジタルが画像信号に変換するデジタル画像変換手段と、
前記デジタル画像変換手段の出力信号から一定領域の画像を抽出する領域抽出手段と、
前記領域抽出手段の抽出領域を設定する領域設定手段と、
前記領域抽出手段からの信号より動画ファイルを生成する動画ファイル生成手段と、
可搬不揮発性記録媒体が着脱可能であると共に、前記可搬不揮発性記録媒体に対して前記動画ファイルの記録を行うアクセス制御手段と、
を有する、
ことを特徴とする電子内視鏡システム。
【請求項８】
被写体像を撮像する内視鏡撮像手段と、
前記内視鏡撮像手段からの画像信号に対して画像処理を行う内視鏡画像処理装置と、
音声を入力する音声入力手段と、
を備え、
前記内視鏡画像処理装置は、
前記音声入力手段からの音声信号をデジタル音声信号に変換するデジタル音声変換手段と、
前記内視鏡撮像手段からの画像信号をデジタル画像信号に変換するデジタル画像変換手段と、
前記デジタル音声変換手段からの信号と前記デジタル画像変換手段からの信号とにより音声信号を含んだ動画ファイルを生成する動画ファイル生成手段と、
可搬不揮発性記録媒体が着脱可能であると共に、前記可搬不揮発性記録媒体に対して前記音声信号を含んだ動画ファイルの記録を行うアクセス制御手段と、
を有する、
ことを特徴とする電子内視鏡システム。
【請求項９】
被写体像を撮像する内視鏡撮像手段と、
前記内視鏡撮像手段からの画像信号に対して画像処理を行う内視鏡画像処理装置と、
を備え、
前記内視鏡画像処理装置は、
可搬不揮発性記録媒体が着脱可能であると共に、前記可搬不揮発性記録媒体に対してデータの読み出しを行うアクセス制御手段と、
前記可搬不揮発性記録媒体より読み出された前記データを画面表示可能な形式の信号に変換する信号変換手段と、
を有する、
ことを特徴とする電子内視鏡システム。
【請求項１０】
前記データは、静止画データである、
ことを特徴とする請求項９に記載の電子内視鏡システム。
【請求項１１】
前記データは、動画データである、
ことを特徴とする請求項９に記載の電子内視鏡システム。
【請求項１２】
前記内視鏡画像処理装置は、
前記動画データが音声信号を含んだ動画データであるか否かを判別する判別手段、
を更に備え、
前記信号変換手段は、前記画像データが音声信号を含んだ動画データであった場合に、前記可搬不揮発性記録媒体より読み出された前記音声信号を含んだ動画データから画面表示可能な形式の信号と音声信号との少なくとも一方を生成する手段を有する、
ことを特徴とする請求項１１に記載の電子内視鏡システム。
【請求項１３】
前記データは、患者又は診察に関する情報である、
ことを特徴とする請求項９に記載の電子内視鏡システム。
【請求項１４】
被写体像を撮像する内視鏡撮像手段と、
前記内視鏡撮像手段からの画像信号に対して画像処理を行う内視鏡画像処理装置と、
印刷を行う印刷手段と、
を備え、
前記内視鏡画像処理装置は、
可搬不揮発性記録媒体が着脱可能であると共に、前記可搬不揮発性記録媒体に対してデータの読み出しを行うアクセス制御手段と、
前記可搬不揮発性記録媒体より読み出す前記データを選択する選択手段と、
前記選択手段により選択されて前記可搬不揮発性記録媒体より読み出された前記データを画面表示可能な形式の信号に変換する信号変換手段と、
を有し、
前記印刷手段は、前記選択手段により選択されて可搬不揮発性記録媒体より読み出された前記データを印刷するように構成された、
ことを特徴とする電子内視鏡システム。
【請求項１５】
被写体像を撮像する内視鏡撮像手段と、
前記内視鏡撮像手段からの画像信号に対して画像処理を行う内視鏡画像処理装置と、
を備え、
前記内視鏡画像処理装置は、
可搬不揮発性記録媒体が着脱可能であると共に、前記可搬不揮発性記録媒体に対してデータの記録と読み出しとの少なくとも一方を行うアクセス制御手段と、
時間差を付けて切断される２系等の電源出力を有する電源部と、
電源が切断されたことを検知する電源切断検知手段と、
を有し、
前記アクセス制御手段は、
前記電源切断検知手段により電源の切断を検知した時、前記可搬不揮発性記録媒体に対するアクセスを中断する手段を有する、
ことを特徴とする電子内視鏡システム。
【請求項１６】
前記内視鏡画像処理装置は、
時間を設定する時間設定手段と、
前記時間設定手段によって設定された時間を計時する計時手段と、
を更に備え、
前記電源部は、前記２系統の電源出力の切断時差を前記時間設定手段によって設定された時間とする手段を有する、
ことを特徴とする請求項１５に記載の電子内視鏡システム。
【請求項１７】
被写体像を撮像する内視鏡撮像手段と、
前記内視鏡撮像手段からの画像信号に対して画像処理を行う内視鏡画像処理装置と、
を備え、
前記内視鏡画像処理装置は、
可搬不揮発性記録媒体が着脱可能であると共に、前記可搬不揮発性記録媒体に対してデータの記録と読み出しの少なくとも一方を行うアクセス制御手段と、
電源を供給する電源部と、
前記アクセス制御手段が前記可搬不揮発性記録媒体に対してアクセス中であることを前記電源部に通知する通知手段と、
を有し、
前記電源部は、電源切断時に前記通知手段からの前記通知終了後に電源を切断する手段を有する、
ことを特徴とする電子内視鏡システム。
【請求項１８】
被写体像を撮像する内視鏡撮像手段と、
前記内視鏡撮像手段からの画像信号に対して画像処理を行う内視鏡画像処理装置と、
を備え、
前記内視鏡画像処理装置は、
プログラムに関するデータ或いは患者又は診察に関する情報或いはシステムの設定データが記録されているメモリ部と、
可搬不揮発性記録媒体が着脱可能であると共に、前記可搬不揮発性記録媒体からデータを読み出して前記メモリ部に記録するアクセス制御手段と、
を有する、
ことを特徴とする電子内視鏡システム。
【請求項１９】
通信機能又は外部インターフェース機能を拡張するための拡張機能カードが着脱可能であると共に、前記拡張機能カードに対してデータの送信と受信の少なくとも一方を行うアクセス制御手段、
を備えたことを特徴とする電子内視鏡システム。
【請求項２０】
可搬不揮発性記録媒体が着脱可能であると共に前記可搬不揮発性記録媒体に対してデータの記録を行うアクセス制御手段と、
装置又は接続された外部装置又は前記可搬不揮発性記録媒体を管理する管理情報を生成する管理情報生成手段と、
を備え、
前記アクセス制御手段は前記管理情報を前記可搬不揮発性記録媒体へ記録する手段を有する、
ことを特徴とする電子内視鏡システム。
【発明の詳細な説明】
【０００１】
【発明の属する技術分野】
本発明は、対象部位の観察、各種検査、治療処置などを行うことの出来る電子内視鏡システムに関する。
【０００２】
【従来の技術】
従来より、細長の挿入部を体腔内などに挿入して対象部位を観察したり、各種検査、治療処置などを行うことの出来る電子内視鏡システムが広く用いられている。細長の挿入部は先端にＣＣＤを備え、撮像した内視鏡画像をモニターに表示して観察したり、後の診断のために画像や診断に関係する情報を記録したりすることが一般に行われている。
【０００３】
電子内視鏡システムにおいて、カルテや論文に利用するために撮像した内視鏡画像を記録する場合は、従来はフィルムに撮影して写真として記録したり、ビデオプリンタを用いて印刷したり、ＬＡＮ環境下におけるファイルサーバーなどのような情報記録装置にデジタルの画像データとして記録することなどが一般に行われていた。
【０００４】
また、診断に関係する情報を記録する場合は、電子内視鏡システム内部に搭載したメモリに記憶させ、次回検査時に読み出すことによって情報の入力にかかる手間を軽減することも行われている。
また、電子内視鏡システムの中には、ビデオプロセッサに後から機能を拡張するための拡張スロットを設け、これに可搬不揮発性記録媒体を装着するためのスロットを備えた拡張ユニットを装着させることによって、内視鏡画像の記録をビデオプロセッサによって行うようにしたシステムがある（例えば、特許文献１参照）。
【０００５】
【特許文献１】
特開平１１−４７０８５号公報
【０００６】
【発明が解決しようとする課題】
ところで、従来の電子内視鏡システムでは、内視鏡画像をデジタル記録するための別体の情報記録装置を用意する以外に、内視鏡画像をビデオプロセッサからＰＣカードなどの可搬不揮発性記録媒体にデジタル画像として記録することは不可能であった。
【０００７】
この問題を解決するものとして、例えば前述の特許文献１に開示されている電子内視鏡システムがある。しかしながら、この種の電子内視鏡システムでは、ビデオプロセッサから直接内視鏡画像の記録を行うことは可能だが、やはり別体の装置である拡張ユニットを用意しなければならない。また、記録する内視鏡画像に関しても、ＴＶモニタに表示された画像をそのまま記録するため、記録する必要の無い部分が存在する画像でも画像全体が記録されてしまい、保存した画像の容量増加の原因となってしまう。
【０００８】
さらに、内視鏡画像をデジタル記録する際、被検者や、診察時の状況や、診断結果などの診断情報を内視鏡画像と対応付けて記録したい場合も、やはり別体の装置を用意する必要があり、記録したデジタル画像を閲覧したり印刷したりする際も、電子内視鏡システムから記録したデジタル画像を直接閲覧、印刷できるような構成は考えられていなく、これらの操作はＰＣによって行わなければならなかった。
【０００９】
その為、電子内視鏡システムによって内視鏡画像やそれと対応付けて診断情報などを記録、閲覧する場合には、電子内視鏡システム以外に用意しなければいけない装置が多く、装置構成の複雑化や、操作の煩雑化や、コストの上昇を招いていた。また、別体の装置を用いて内視鏡画像を記録、閲覧する際、記録、閲覧中に電源が切断されても、データが破壊されないようなデータ保護機能を備えた構成は考えられていなかった。
【００１０】
また、従来の電子内視鏡システムでは、ファームウェアのアップデートは電子内視鏡システムにＰＣを接続することによって行われているため、内視鏡関連データのアップデートにかかる手間が大きく、また、専門知識のある者でなければアップデート作業が行えないなど、操作が困難であった。
【００１１】
本発明は上記事情に鑑みてなされたもので、電子内視鏡システム本体にＰＣカードなどの不揮発性可搬記録媒体を着脱自在に装着でき、内視鏡画像や診断情報の記録、閲覧、印刷、さらに内視鏡関連データのアップデートや電子内視鏡システムの機能拡張が可能であると共に、内視鏡画像の記録、閲覧中の電源切断に対してもデータが破壊されないようにデータ破壊を防止する機能を有する電子内視鏡システムを提供することを目的としている。
【００１２】
【課題を解決するための手段】
本発明の第１の態様は、患者又は診察に関する情報を入力する入力手段と、入力された情報を表示する表示手段と、被写体像を撮像する内視鏡撮像手段からの画像信号に対して画像処理を行う内視鏡画像処理装置と、を備え、前記内視鏡画像処理装置は、可搬不揮発性記録媒体が着脱可能であると共に、前記可搬不揮発性記録媒体に対して前記患者又は診察に関する情報の記録を行うアクセス制御手段を有する、電子内視鏡システムである。
【００１３】
上記の構成により、可搬不揮発性記録媒体へ患者又は診察に関する情報を記録することが可能である。
本発明の第２の態様は、前記第１の態様において、前記内視鏡画像処理装置は、前記内視鏡撮像手段からの画像信号をデジタル画像信号に変換するデジタル画像変換手段と、前記デジタル画像変換手段からの信号より静止画ファイルを生成する静止画ファイル生成手段と、を更に備え、前記アクセス制御手段は、前記可搬不揮発性記録媒体に対して前記静止画ファイルを前記患者又は診察に関する情報と共に記録する手段を有する、構成である。
【００１４】
この構成により、可搬不揮発性記録媒体へ内視鏡画像の静止画を患者又は診察に関する情報に関連付けて記録することが可能である。
本発明の第３の態様は、前記第１の態様において、前記内視鏡画像処理装置は、前記内視鏡撮像手段からの画像信号をデジタル画像信号に変換するデジタル画像変換手段と、前記デジタル画像変換手段からの信号より動画ファイルを生成する動画ファイル生成手段と、を更に備え、前記アクセス制御手段は、前記可搬不揮発性記録媒体に対して前記動画ファイルを前記患者又は診察に関する情報と共に記録する手段を有する、構成である。
【００１５】
この構成により、可搬不揮発性記録媒体へ内視鏡画像の動画を患者又は診察に関する情報に関連付けて記録することが可能である。
本発明の第４の態様は、被写体像を撮像する内視鏡撮像手段と、前記内視鏡撮像手段からの画像信号に対して画像処理を行う内視鏡画像処理装置と、を備え、前記内視鏡画像処理装置は、前記内視鏡撮像手段からの画像信号をデジタル画像信号に変換するデジタル画像変換手段と、前記デジタル画像変換手段の出力信号から一定領域の画像を抽出する領域抽出手段と、前記領域抽出手段の抽出領域を設定する領域設定手段と、前記領域抽出手段からの信号より静止画ファイルを生成する静止画ファイル生成手段と、可搬不揮発性記録媒体が着脱可能であると共に、前記可搬不揮発性記録媒体に対して前記静止画ファイルの記録を行うアクセス制御手段と、を有する、電子内視鏡システムである。
【００１６】
上記の構成により、可搬不揮発性記録媒体へ任意の領域に切り出した内視鏡画像の静止画を記録することが可能である。
本発明の第５の態様は、被写体像を撮像する内視鏡撮像手段と、前記内視鏡撮像手段からの画像信号に対して画像処理を行う内視鏡画像処理装置と、を備え、前記内視鏡画像処理装置は、前記内視鏡撮像手段からの画像信号をデジタル画像信号に変換するデジタル画像変換手段と、前記デジタル画像変換手段からの信号より動画ファイルを生成する動画ファイル生成手段と、前記動画ファイル生成手段からの動画ファイルを一旦記録するメモリ部と、前記動画ファイルを可搬不揮発性記録媒体に記録するための指示を行う記録指示手段と、前記可搬不揮発性記録媒体が着脱可能であると共に、前記記録指示手段による記録指示があった時点から所定時間遡った時点の動画ファイルを前記メモリ部から読み出し前記可搬不揮発性記録媒体に対して該動画ファイルの記録を行うアクセス制御手段と、を有する、電子内視鏡システムである。
【００１７】
上記の構成により、可搬不揮発性記録媒体へ内視鏡画像の動画を時間を遡って記録することが可能である。
本発明の第６の態様は、前記第５の態様において、前記内視鏡画像処理装置は、記録指示があった時点から遡って記録する時間を設定する時間設定手段、を更に有する、構成である。
【００１８】
この構成により、可搬不揮発性記録媒体へ内視鏡画像の動画を任意の時間遡って記録することが可能である。
本発明の第７の態様は、被写体像を撮像する内視鏡撮像手段と、前記内視鏡撮像手段からの画像信号に対して画像処理を行う内視鏡画像処理装置と、を備え、前記内視鏡画像処理装置は、前記内視鏡撮像手段からの画像信号をデジタルが画像信号に変換するデジタル画像変換手段と、前記デジタル画像変換手段の出力信号から一定領域の画像を抽出する領域抽出手段と、前記領域抽出手段の抽出領域を設定する領域設定手段と、前記領域抽出手段からの信号より動画ファイルを生成する動画ファイル生成手段と、可搬不揮発性記録媒体が着脱可能であると共に、前記可搬不揮発性記録媒体に対して前記動画ファイルの記録を行うアクセス制御手段と、を有する、電子内視鏡システムである。
【００１９】
上記の構成により、可搬不揮発性記録媒体へ任意の領域に切り出した内視鏡画像の動画を記録することが可能である。
本発明の第８の態様は、被写体像を撮像する内視鏡撮像手段と、前記内視鏡撮像手段からの画像信号に対して画像処理を行う内視鏡画像処理装置と、音声を入力する音声入力手段と、を備え、前記内視鏡画像処理装置は、前記音声入力手段からの音声信号をデジタル音声信号に変換するデジタル音声変換手段と、前記内視鏡撮像手段からの画像信号をデジタル画像信号に変換するデジタル画像変換手段と、前記デジタル音声変換手段からの信号と前記デジタル画像変換手段からの信号とにより音声信号を含んだ動画ファイルを生成する動画ファイル生成手段と、可搬不揮発性記録媒体が着脱可能であると共に、前記可搬不揮発性記録媒体に対して前記音声信号を含んだ動画ファイルの記録を行うアクセス制御手段と、を有する、電子内視鏡システムである。
【００２０】
上記の構成により、可搬不揮発性記録媒体へ内視鏡画像の動画を音声付きで記録することが可能である。
本発明の第９の態様は、被写体像を撮像する内視鏡撮像手段と、前記内視鏡撮像手段からの画像信号に対して画像処理を行う内視鏡画像処理装置と、を備え、前記内視鏡画像処理装置は、可搬不揮発性記録媒体が着脱可能であると共に、前記可搬不揮発性記録媒体に対してデータの読み出しを行うアクセス制御手段と、前記可搬不揮発性記録媒体より読み出された前記データを画面表示可能な形式の信号に変換する信号変換手段と、を有する、電子内視鏡システムである。
【００２１】
上記の構成により、可搬不揮発性記録媒体よりデータの読み出しが可能である。
本発明の第１０の態様は、前記第９の態様において、前記データは、静止画データである、構成である。
【００２２】
この構成により、可搬不揮発性記録媒体より静止画の読み出しが可能である。
本発明の第１１の態様は、前記第９の態様において、前記データは、動画データである、構成である。
この構成により、可搬不揮発性記録媒体より動画の読み出しが可能である。
【００２３】
本発明の第１２の態様は、前記第１１の態様において、前記内視鏡画像処理装置は、前記動画データが音声信号を含んだ動画データであるか否かを判別する判別手段、を更に備え、前記信号変換手段は、前記画像データが音声信号を含んだ動画データであった場合に、前記可搬不揮発性記録媒体より読み出された前記音声信号を含んだ動画データから画面表示可能な形式の信号と音声信号との少なくとも一方を生成する手段を有する、構成である。
【００２４】
この構成により、可搬不揮発性記録媒体より音声付き動画の読み出しが可能である。
本発明の第１３の態様は、前記第９の態様において、前記データは、患者又は診察に関する情報である、構成である。
【００２５】
この構成により、可搬不揮発性記録媒体より患者又は診察に関する情報の読み出しが可能である。
本発明の第１４の態様は、被写体像を撮像する内視鏡撮像手段と、前記内視鏡撮像手段からの画像信号に対して画像処理を行う内視鏡画像処理装置と、印刷を行う印刷手段と、を備え、前記内視鏡画像処理装置は、可搬不揮発性記録媒体が着脱可能であると共に、前記可搬不揮発性記録媒体に対してデータの読み出しを行うアクセス制御手段と、前記可搬不揮発性記録媒体より読み出す前記データを選択する選択手段と、前記選択手段により選択されて前記可搬不揮発性記録媒体より読み出された前記データを画面表示可能な形式の信号に変換する信号変換手段と、を有し、前記印刷手段は、前記選択手段により選択されて可搬不揮発性記録媒体より読み出された前記データを印刷するように構成された、電子内視鏡システムである。
【００２６】
上記の構成により、可搬不揮発性記録媒体に記録されたデータを印刷することが可能である。
本発明の第１５の態様は、被写体像を撮像する内視鏡撮像手段と、前記内視鏡撮像手段からの画像信号に対して画像処理を行う内視鏡画像処理装置と、を備え、前記内視鏡画像処理装置は、可搬不揮発性記録媒体が着脱可能であると共に、前記可搬不揮発性記録媒体に対してデータの記録と読み出しとの少なくとも一方を行うアクセス制御手段と、時間差を付けて切断される２系等の電源出力を有する電源部と、電源が切断されたことを検知する電源切断検知手段と、を有し、前記アクセス制御手段は、前記電源切断検知手段により電源の切断を検知した時、前記可搬不揮発性記録媒体に対するアクセスを中断する手段を有する、電子内視鏡システムである。
【００２７】
上記の構成により、可搬不揮発性記録媒体に対してデータの記録又は読み出し中に電源が切断されても、データを破壊せず、安全に電源を切断することが可能である。
本発明の第１６の態様は、前記第１５の態様において、前記内視鏡画像処理装置は、時間を設定する時間設定手段と、前記時間設定手段によって設定された時間を計時する計時手段と、を更に備え、前記電源部は、前記２系統の電源出力の切断時差を前記時間設定手段によって設定された時間とする手段を有する、
構成である。
【００２８】
この構成により、電子内視鏡システムの電源を切断する際、電源切断指示後、既定時間経過後に電源を切断することが可能である。
本発明の第１７の態様は、被写体像を撮像する内視鏡撮像手段と、前記内視鏡撮像手段からの画像信号に対して画像処理を行う内視鏡画像処理装置と、を備え、前記内視鏡画像処理装置は、可搬不揮発性記録媒体が着脱可能であると共に、前記可搬不揮発性記録媒体に対してデータの記録と読み出しの少なくとも一方を行うアクセス制御手段と、電源を供給する電源部と、前記アクセス制御手段が前記可搬不揮発性記録媒体に対してアクセス中であることを前記電源部に通知する通知手段と、を有し、前記電源部は、電源切断時に前記通知手段からの前記通知終了後に電源を切断する手段を有する、電子内視鏡システムである。
【００２９】
上記の構成により、可搬不揮発性記録媒体に対してデータの記録又は読み出し中に電源が切断されても、データを破壊せず、安全に電源を切断することが可能である。
本発明の第１８の態様は、被写体像を撮像する内視鏡撮像手段と、前記内視鏡撮像手段からの画像信号に対して画像処理を行う内視鏡画像処理装置と、を備え、前記内視鏡画像処理装置は、プログラムに関するデータ或いは患者又は診察に関する情報或いはシステムの設定データが記録されているメモリ部と、
可搬不揮発性記録媒体が着脱可能であると共に、前記可搬不揮発性記録媒体からデータを読み出して前記メモリ部に記録するアクセス制御手段と、を有する、電子内視鏡システムである。
【００３０】
上記の構成により、可搬不揮発性記録媒体を用いることによって、電子内視鏡システムのプログラムに関するデータ（いわゆるファームウェアも含む）或いは患者又は診察に関する情報或いはシステムの設定データを更新することが可能である。
【００３１】
本発明の第１９の態様は、通信機能又は外部インターフェース機能を拡張するための拡張機能カードが着脱可能であると共に、前記拡張機能カードに対してデータの送信と受信の少なくとも一方を行うアクセス制御手段、を備えた電子内視鏡システムである。
【００３２】
上記の構成により、電子内視鏡システムに対して機能拡張を行うことが可能である。
本発明の第２０の態様は、可搬不揮発性記録媒体が着脱可能であると共に前記可搬不揮発性記録媒体に対してデータの記録を行うアクセス制御手段と、装置又は接続された外部装置又は前記可搬不揮発性記録媒体を管理する管理情報を生成する管理情報生成手段と、を備え、前記アクセス制御手段は前記管理情報を前記可搬不揮発性記録媒体へ記録する手段を有する、電子内視鏡システムである。
【００３３】
上記の構成により、可搬不揮発性記録媒体へ電子内視鏡システム又は接続された外部装置又は前記可搬不揮発性記録媒体を管理する管理情報を記録することが可能である。
【００３４】
【発明の実施の形態】
以下、図面を参照して本発明の実施の形態を説明する。
まず、本発明の第１実施形態について説明する。
図１及び図２は本発明の第１実施形態に係り、図１は電子内視鏡システムの構成を示す斜視図、図２は電子内視鏡システム全体の構成を示すブロック図である。
【００３５】
図１に示すように、本発明の第１実施形態の電子内視鏡システム１は、先端にＣＣＤを備えたスコープ２と、このスコープ２に照明光を供給する光源装置３と、スコープ２の先端にあるＣＣＤから得られた映像信号に対して信号処理を行う映像信号処理装置としてのビデオプロセッサ４と、このビデオプロセッサ４により信号処理された映像信号を表示するＴＶモニタ３２と、ビデオプロセッサ４に接続して文字入力や各種操作を行うキーボード３１と、ビデオプロセッサ４に接続して印刷を行うプリンタ３０と、ビデオプロセッサ４に設けたＰＣカード６を着脱するためのスロット７とから構成される。
【００３６】
図２に示すように、スコープ２は体腔内に挿入するための細長の挿入部９を有し、中には照明光を伝送するためのライトガイド８が挿通されている。このライトガイド８の後端は光源装置３に着脱自在で接続され、光源装置３の図示しないランプから射出された照明光はこのライトガイド８によって伝送され、挿入部９の先端に設けた図示しない照明窓に取り付けられたライトガイド先端面から体腔内の被検体に射出される。
【００３７】
また、スコープ２の先端には照明窓に隣接して観察窓が設けてあり、この観察窓に取り付けた対物レンズ１０により、その結像位置に被検体の光学像を結ぶ。この結像位置には固体撮像素子として例えばＣＣＤ１１が配置され、光学像を電気信号に光電変換して映像信号として信号線１２でビデオプロセッサ４に伝送する。
【００３８】
この信号線１２はその途中に内視鏡側コネクタ１３、ビデオプロセッサ側コネクタ１４が設けてあり、これらのコネクタ１３、１４を経てビデオプロセッサ４内のプリアンプ回路１５に入力される。信号線１２により伝送された映像信号は、プリアンプ回路１５によりケーブル伝送での損失分が増幅された後、プリプロセス回路１６に入力される。
【００３９】
プリプロセス回路１６の後段にはＡ／Ｄ変換回路１７、Ｙ／Ｃ分離回路１８が設けられており、プリプロセス回路１６に入力された映像信号はＣＤＳ（相関二重サンプリング）やＳ／Ｈ（サンプルホールド）等の前処理が行われた後、Ａ／Ｄ変換回路１７に入力されてデジタル信号に変換された後、Ｙ／Ｃ分離回路１８に入力される。
【００４０】
Ｙ／Ｃ分離回路１８の後段にはＲＧＢマトリクス回路１９、ホワイトバランス調整回路２０が設けられており、Ｙ／Ｃ分離回路１８に入力された映像信号は線順次化されてＹ・Ｃｒ・Ｃｂの３系統のデジタル信号に分離され、ＲＧＢマトリクス回路１９に入力されてＲＧＢデジタル信号に変換された後、ホワイトバランス調整回路２０で所定のホワイトバランスの調整が行われる。
【００４１】
ホワイトバランス調整回路２０の後段にはデジタル映像処理回路２１、文字重畳回路３４、Ｄ／Ａ変換回路２８、ポストプロセス回路２９が設けられており、前記バランス調整が行われた映像信号はデジタル映像処理回路２１によりエンハンス処理、γ補正、文字重畳などのデジタル処理が施された後、文字重畳回路３４により文字が重畳される。その後、Ｄ／Ａ変換回路２８でアナログ信号に変換されてポストプロセス回路２９に入力される。そして、ポストプロセス回路２９に入力された映像信号は、標準的なビデオ信号に変換されてＴＶモニタ３２に出力される。
【００４２】
また、デジタル映像処理回路２１の後段には、第１のメモリ２２、領域抽出手段２３、ＪＰＥＧ圧縮／展開手段２４、ドライバ２５が設けられ、ドライバ２５にはスロット７が接続されており、各種信号処理が施されたデジタル信号は第１のメモリ２２に記憶される。スロット７にはＰＣカード６が着脱自在に装着されるようになっており、ＣＰＵ２７の制御下で第１のメモリ２２から読み出されたデジタルの画像信号が領域抽出手段２３によって適当な位置、領域にトリミングされ、ＪＰＥＧ圧縮／展開手段２４でデータ圧縮された後、ドライバ２５を介してスロット７に装着されたＰＣカード６に記録される。尚、スロット７、ドライバ２５及びＣＰＵ２２はアクセス制御手段を構成している。
【００４３】
ビデオプロセッサ４にはキーボード３１が接続されており、領域抽出手段２３によってトリミングする領域の位置やサイズはキーボード３１を用いて入力する。ユーザーがキーボード３１に規定の操作を行うと、ＣＰＵ２７は文字重畳回路３４より図８に示すような画像記録用の設定画面の作成を指示する。文字重畳回路３４は設定画面を作成した後、それを映像信号として、Ｄ／Ａ変換回路２８、ポストプロセス回路２９を経てＴＶモニタ３２に入力する。
【００４４】
トリミングする形状は四角形であり、トリミングする領域の位置は、ｘ座標入力ボックス６０にｘ座標を、ｙ座標入力ボックス６１にｙ座標を、それぞれ入力することで指定することができる。ここで、ｘ座標及びｙ座標はそれぞれ、ＴＶモニタ３２の画面中における任意の点を原点としたｘｙ座標系で指定し、指定されたｘ座標及びｙ座標はトリミングされる四角形の中心点や頂点など任意の点として指定して良い。また、トリミングする領域のサイズは、幅入力ボックス６２に幅を、高さ入力ボックス６３に高さを、それぞれ入力することで指定することができる。トリミングする領域の位置とサイズがキーボード３１によって入力されると、ＣＰＵ２７は入力された設定値を設定画面の入力ボックス内に表示するための指示を文字重畳回路３４に対して行い、これによりＴＶモニタ３２の画面上には入力された各設定値がそれぞれの入力ボックスに表示される。その後設定ボタン６５が選択されると、ＣＰＵ２７は入力されていた各設定値を領域抽出手段２３へ設定する。
【００４５】
キーボード３１より入力されたトリミングに関する情報を表示する手段はＴＶモニタ３２による表示以外に、ビデオプロセッサ４の表面にＬＥＤや液晶パネルなどの表示装置を設けてこれに表示する等の他の手段によって表示しても良いし、トリミングする形状も円形や八角形等の他の形状でも良い。また、第１のメモリ２２から読み出された画像信号の圧縮形式としては、ＪＰＥＧ形式以外の圧縮形式やＢＭＰ形式のような非圧縮形式であっても良い。さらに、領域抽出手段２３及びＪＰＥＧ圧縮／展開手段２４は、ハードウェア、ソフトウェアのどちらの方法で設けても良い。
【００４６】
ビデオプロセッサ４内には、ＰＣカード６への画像記録などの各種制御を行うＣＰＵ２７が設けられており、ビデオプロセッサ４の表面には画像記録の指示を行うための記録スイッチ５が設けられている。但し、この記録スイッチ５は、スコープ２の表面に設ける方法でも良いし、キーボード３１等の入力手段に設けるなど他の方法でも良い。
【００４７】
内視鏡画像を記録するために記録スイッチ５が押されると、ＣＰＵ２７より第１のメモリ２２に記録指示信号が送出され、第１のメモリ２２から画像データが読み出される。読み出された画像データは領域抽出手段２３によって適当な位置、サイズにトリミングされ、ＪＰＥＧ圧縮／展開手段２４によりデータ圧縮された後、ドライバ２５を介してスロット７に装着されたＰＣカード６に送られて記録される。
【００４８】
また、ＰＣカード６への記録は画像のみならず、キーボード３１から入力された文字情報でも良い。術者が診察や被験者に関する情報（以下、診察情報と略記する）をキーボード３１により入力すると、入力された情報はＣＰＵ２７へと伝送され、ＣＰＵ２７から文字重畳回路３４への指示により、図３に示すようにＴＶモニタ３２の画面上の内視鏡画像５３に隣接して診察情報表示４９として表示される。診察情報としては、例えば、患者や診察（検査）を識別するＩＤ、氏名、年齢、検査日時、検査部位、所見等が挙げられる。
【００４９】
ここで、記録スイッチ５が押されると、ＣＰＵ２７は第１のメモリ２２に記録指示信号を送出し、第１のメモリ２２から画像データを読み出す。その後、ＣＰＵ２７からの指示により、文字重畳回路３４は図４に示すように記録する情報を選択するための画面を作成し、それをＤ／Ａ変換回路２８、ポストプロセス回路２９を経てＴＶモニタ３２に入力して、記録する情報が選択されるのを待機する。記録する情報の選択は、図４に示すように、診察情報及び被写体像を記録ボタン５０、診察情報のみ記録ボタン５１、被写体像のみ記録ボタン５２を、キーボード３１によって選択することによって行う。
【００５０】
診察情報が入力されていなければ、被写体像のみ記録ボタン５２のみを表示して選択させてもよいし、自動的に被写体像のみを記録するようにしてもよい。また、記録する情報の選択は、キーボード３１以外の他の入力手段によって選択しても良い。
【００５１】
ユーザーからキーボード３１により記録する情報が選択されると、ＣＰＵ２７は文字重畳回路３４より、図５に示すようなファイル名指定用の画面をＴＶモニタ３２に出力させ、ファイル名が入力されるのを待機する。ファイル名がキーボード３１により入力されると、ＣＰＵ２７は入力されたファイル名をファイル名入力ボックス５４に表示するための指示を文字重畳回路３４に対して行い、これによりＴＶモニタ３２の画面上には入力されたファイル名がファイル名入力ボックス５４に表示される。その後記録ボタン６６が選択されると、ＣＰＵ２７は入力されていたファイル名で選択された情報の記録を開始する。
【００５２】
診察情報のみ記録ボタン５１が選択されていた場合、ＣＰＵ２７は入力されていた診察情報を、ＨＴＭＬ形式でドライバ２５を介してスロット７に装着されたＰＣカード６へ記録し、ファイル名を入力されたファイル名にする。
又は、被写体像のみ記録ボタン５２が選択されていた場合、ＣＰＵ２７は第１のメモリ２２から読み出してあった画像データを領域抽出手段２３に入力する。画像データは領域抽出手段２３によって適当な位置、サイズにトリミングされ、ＪＰＥＧ圧縮／展開手段２４によりデータ圧縮された後、ドライバ２５を介してスロット７に装着されたＰＣカード６に送られて入力されたファイル名で記録される。
【００５３】
又は、診察情報及び被写体像を記録ボタン５０が選択されていた場合、前記のようにＣＰＵ２７は入力されていた診察情報を、ＨＴＭＬ形式でドライバ２５を介してスロット７に装着されたＰＣカード６へ記録し、ファイル名を入力されたファイル名にする。その後、ＣＰＵ２７は第１のメモリ２２から読み出してあった画像データを領域抽出手段２３に入力する。画像データは領域抽出手段２３によって適当な位置、サイズにトリミングされ、ＪＰＥＧ圧縮／展開手段２４によりデータ圧縮された後、ドライバ２５を介してスロット７に装着されたＰＣカード６に送られて入力されたファイル名で記録される。この場合診察情報は内視鏡画像を記録した後に記録するようにしても良い。
【００５４】
また、診察情報及び被写体像を記録ボタン５０が選択されていた場合には、診察情報又は画像データ中にお互いに対するリンク情報を付加する。例えば、ユーザーによって診察情報及び被写体像を記録ボタン５０が選択された後、ＣＰＵ２７は記録する診察情報の中に、ＨＴＭＬ形式による画像ファイルへのリンクを追加する。その後、前記のように診察情報の記録を行い、続いて第１のメモリ２２から読み出していた画像データの記録を行う。
【００５５】
さらに、図２に示す構成の電子内視鏡システム１では、既に画像或いは診察情報の記録されたＰＣカード６からこれらの情報を読み出し、ＴＶモニタ３２に表示する機能を備えている。ＰＣカード６がスロット７に装着された状態で、キーボード３１より読み出しの指示を行うと、ＣＰＵ２７はドライバ２５を介してスロット７に装着されたＰＣカード６に記録されている情報を全て読み出し、文字重畳回路３４により、図６に示すようなサムネイル画面を生成してＴＶモニタ３２により表示させる。
【００５６】
図６に示すように、サムネイル画面では、記録画像５５の下にファイル名５６が表示され、それに並列してチェックボックス５７が描画される。但し、診察情報の記録されたファイルに対しては、ファイル名５６のみが表示され、それに並列してチェックボックス５７が描画される。各ファイルはキーボード３１からの操作により選択することが可能であり、ファイル選択の操作が行われると、ＣＰＵ２７は文字重畳回路３４に対してチェックボックス５７へチェックを入れる指示を行う。これによりＴＶモニタ３２の画面上には選択されたファイルのチェックボックスにチェックマークが表示される。ファイルが選択された後、キーボード３１より読み出しボタン５８を選択することによってファイルの読み出しが開始される。また、サムネイル画面において診察情報の記録されたファイルを表示する際には、ファイル名と共に記録された診察情報の一部又は全てを表示しても良いし、サムネイル画面上に表示するファイルに関連ファイルへのリンク情報が付加されていた場合、関連ファイルの内容を並列するなどして同時に表示しても良い。
【００５７】
読み出した情報が画像（ファイルの拡張子がｊｐｇに係るもの）であった場合、読み出された画像はＪＰＥＧ圧縮／展開手段２４に入力される。ＪＰＥＧ圧縮／展開手段２４では、圧縮された画像を伸長し、ＲＧＢデジタル信号に変換する。その後、文字重畳回路３４により読み出した画像の記録された日時などが文字情報として重畳され、Ｄ／Ａ変換回路２８でアナログ信号に変換される。アナログ信号に変換された映像信号は、ポストプロセス回路２９に入力されて標準的なビデオ信号に変換されてＴＶモニタ３２に出力される。文字重畳回路３４では、記録日時などの文字情報を重畳せずに、ＪＰＥＧ圧縮／展開手段２４から出力されたＲＧＢデジタル信号をスルー出力しても良い。
【００５８】
また、読み出された画像の中に関連する診察情報を記録したファイルへのリンクが含まれていた場合には、ＣＰＵ２７はドライバ２５を介して当該ファイルの読み出しを行う。読み出された情報は文字重畳回路３４へ入力されて画像に重畳され、Ｄ／Ａ変換回路２８によりアナログ信号に変換された後、ポストプロセス回路２９により標準的なビデオ信号に変換されてＴＶモニタ３２に出力される。
【００５９】
読み出した情報が診察情報（ファイルの拡張子がｈｔｍｌに係るもの）であった場合には、ＣＰＵ２７はドライバ２５を介して読み出した情報を文字重畳回路３４へ入力する。文字重畳回路３４でその時点での内視鏡画像への重畳が行われた後、Ｄ／Ａ変換回路２８にてアナログ信号に変換され、ポストプロセス回路２９により標準的なビデオ信号に変換されてＴＶモニタ３２に出力される。文字重畳回路３４では、マスク処理などにより内視鏡画像部分を非表示にし、読み出された診察情報のみが表示されるようにしても良い。
【００６０】
また、読み出された診察情報の中に関連する画像へのリンクが含まれていた場合には、ＣＰＵ２７はドライバ２５を介して当該画像の読み出しを行い、読み出された画像はＪＰＥＧ圧縮／展開手段２４に入力される。ＪＰＥＧ圧縮／展開手段２４では、圧縮された画像を伸長し、ＲＧＢデジタル信号に変換する。その後、文字重畳回路３４により診察情報に係る文字の重畳が行われ、Ｄ／Ａ変換回路２８でアナログ信号に変換される。アナログ信号に変換された映像信号は、ポストプロセス回路２９に入力されて標準的なビデオ信号に変換されてＴＶモニタ３２に出力される。
【００６１】
なお、読み出したファイルに他の関連するファイルへのリンク情報が含まれていた場合でも、リンク先のファイルを開かないようにする方法でも良い。また、ファイルの読み出し時には、サムネイル画面から複数のファイルを選択し、読み出した複数のファイルを再びサムネイル化してＴＶモニタ３２に表示する方法でも良いし、読み出すファイルを選択するための画面も、画像をサムネイル化して表示するのではなく、ファイル名のみを羅列して表示する等他の表示方法でも良い。ファイルの選択方法もチェックボックスを使用せず、選択されたファイルのファイル名を反転表示させる等他の方法でも良い。
【００６２】
ＰＣカード６に記録されている情報はＴＶモニタ３２に表示するだけでなく、プリンタ３０を介して印刷することも可能である。読み出したファイルをＴＶモニタ３２に表示している時に、キーボード３１によりプリント指示の操作を行うと、ＴＶモニタ３２に出力されていた映像信号がプリンタ３０に対しても出力される。同時にＣＰＵ２７よりプリンタ３０へ印刷指示が送出され、プリンタ３０によって印刷が行われる。
【００６３】
また、ＰＣカード６より読み出してＴＶモニタ３２に表示することを行わずに印刷することも可能である。ＴＶモニタ３２に図６に示すサムネイル画面が表示されている際、印刷したいファイルを選択し、チェックボックス５７にチェックを入れる。その後、印刷ボタン５９を選択することにより、プリンタ３０により選択したファイルの印刷が開始される。印刷が開始されると、ＣＰＵ２７はドライバ２５を介してスロット７に装着されたＰＣカード６から選択されたファイルを読み出す。
【００６４】
読み出されたファイルが診察情報であった場合には、文字重畳回路３４へ読み出した情報を入力し、診察情報のみの映像信号をＤ／Ａ変換回路２８へ入力する。
読み出されたファイルが画像であった場合には、読み出した画像データをＪＰＥＧ圧縮／展開手段２４へ入力して圧縮データを伸長し、ＲＧＢデジタル信号に変換する。生成されたＲＧＢデジタル信号は文字重畳回路３４にて文字の重畳が成されないまま、Ｄ／Ａ変換回路２８へ入力される。
【００６５】
Ｄ／Ａ変換回路２８へ入力された映像信号はポストプロセス回路２９により標準的なビデオ信号に変換され、プリンタ３０に入力される。また、ＣＰＵ２７からは、プリンタ３０へ印刷指示が送出され、プリンタ３０により印刷が行われる。
【００６６】
また、読み出されたファイルに、関連するファイルへのリンク情報が含まれていた場合には、リンク先のファイルも読み出す。読み出されたファイルは、前記のように、画像であればＪＰＥＧ圧縮／展開手段２４を経由して文字重畳回路３４へ入力され、診察情報であればＣＰＵ２７を経由して文字重畳回路３４へ入力される。文字重畳回路３４では、診察情報と画像とが重畳され、前記のようにＤ／Ａ変換回路２８、ポストプロセス回路２９を経てプリンタ３０より印刷される。
【００６７】
選択された画像が複数あった場合には、選択された画像を順次読み出し、ＪＰＥＧ圧縮／展開手段２４によりＲＧＢデジタル信号に変換した後、文字重畳回路３４へ入力する。文字重畳回路３４では、選択された複数の画像に対してサムネイル化が行われ、Ｄ／Ａ変換回路２８、ポストプロセス回路２９を経て、プリンタ３０に入力される。プリンタ３０は、ＣＰＵ２７から印刷指示が入力された後、サムネイル化された画像を印刷する。
【００６８】
以上、第１実施形態の構成によれば、電子内視鏡システム１本体となるビデオプロセッサ４に不揮発性可搬記録媒体であるＰＣカード６を着脱自在に装着でき、ＰＣカード６への内視鏡静止画像や診察情報の記録、ＰＣカード６からの内視鏡静止画像や診察情報の読み出し、内視鏡静止画像や診断情報の閲覧，印刷等が可能である。また、ＰＣカード６への記録の際には、内視鏡静止画像と診察情報を関連付けて記録することができ、また任意の領域に切り出した内視鏡静止画像を記録することができる。
【００６９】
次に、本発明の第２実施形態について説明する。
図７は本発明の第２実施形態に係り、電子内視鏡システム全体の構成を示すブロック図である。尚、電子内視鏡システムの構成を示す斜視図については図１に示したものと同じである。
【００７０】
図７に示すように、第２実施形態は第１実施形態と比較して、ＪＰＥＧ圧縮／展開手段２４がＭＰＥＧ圧縮／展開手段３３に置き換わったこと、記録スイッチ５が記録開始／停止スイッチに置き換わったこと、第２のメモリ２６，開始タイミング付加回路９５，マイク４５，プリアンプ回路４６，Ａ／Ｄ変換回路４７、及びスピーカー４８を更に備えていること、プリンタ３０を備えていないこと以外は同様の構成となっているため、第１実施形態と同様の構成及び作用については、同じ符号を付して説明を省略する。
【００７１】
デジタル映像処理回路２１の後段には、第１のメモリ２２、領域抽出手段２３、ＭＰＥＧ圧縮／展開手段３３、ドライバ２５、第２のメモリ２６、開始タイミング付加回路９５が設けられ、ドライバ２５にはスロット７が接続されている。各種信号処理が施されたデジタル信号は第１のメモリ２２に記憶された後、順次読み出されて領域抽出手段２３によって適当な位置、領域にトリミングされる。
【００７２】
一方、ビデオプロセッサ４にはマイク４５が接続されており、マイク４５により音声を入力すると、入力された音声が音声信号としてビデオプロセッサ内に設けられたプリアンプ回路４６に入力される。音声信号は、伝送時の損失分がプリアンプ回路４６により増幅された後、Ａ／Ｄ変換回路４７に入力されてデジタル信号に変換される。
【００７３】
その後、領域抽出手段２３より出力されたデジタルの映像信号とＡ／Ｄ変換回路４７より出力されたデジタルの音声信号は、共にＭＰＥＧ圧縮／展開手段３３に入力される。マイク４５による音声入力が無かった場合は、Ａ／Ｄ変換回路４７よりデジタルの音声信号は出力されず、領域抽出手段２３より入力されたデジタルの映像信号のみがデータ圧縮されて第２のメモリ２６に記憶される。マイク４５による音声入力があった場合には、Ａ／Ｄ変換回路４７より入力されたデジタルの音声信号と領域抽出手段２３より入力されたデジタルの映像信号が、音声情報を含んだ動画としてデータ圧縮された後、第２のメモリ２６に記憶される。ビデオプロセッサ４にはキーボード３１が接続されており、領域抽出手段２３によってトリミングする領域の位置やサイズはキーボード３１を用いて入力する。ユーザーがキーボード３１に規定の操作を行うと、ＣＰＵ２７は文字重畳回路３４より図８に示すような画像記録用の設定画面の作成を指示する。文字重畳回路３４は設定画面を作成した後、それを映像信号として、Ｄ／Ａ変換回路２８、ポストプロセス回路２９を経てＴＶモニタ３２に入力する。
【００７４】
トリミングする形状は四角形であり、トリミングする領域の位置は、ｘ座標入力ボックス６０にｘ座標を、ｙ座標入力ボックス６１にｙ座標を、それぞれ入力することで指定することができる。ここで、ｘ座標及びｙ座標はそれぞれ、ＴＶモニタ３２の画面中における任意の点を原点としたｘｙ座標系で指定し、指定されたｘ座標及びｙ座標はトリミングされる四角形の中心点や頂点など任意の点として指定して良い。また、トリミングする領域のサイズは、幅入力ボックス６２に幅を、高さ入力ボックス６３に高さを、それぞれ入力することで指定することができる。トリミングする領域の位置とサイズがキーボード３１によって入力されると、ＣＰＵ２７は入力された設定値を設定画面の入力ボックス内に表示するための指示を文字重畳回路３４に対して行い、これによりＴＶモニタ３２の画面上には入力された各設定値がそれぞれの入力ボックスに表示される。その後設定ボタン６５が選択されると、ＣＰＵ２７は入力されていた各設定値を領域抽出手段２３へ設定する。
【００７５】
キーボード３１より入力されたトリミングに関する情報を表示する手段はＴＶモニタ３２による表示以外に、ビデオプロセッサ４の表面にＬＥＤや液晶パネルなどの表示装置を設けてこれに表示する等の他の手段によって表示しても良いし、トリミングする形状も円形や八角形等の他の形状でも良い。また、第１のメモリ２２から読み出された画像信号の圧縮形式としては、ＭＰＥＧ形式以外の圧縮形式やＡＶＩ形式のような非圧縮形式であっても良い。さらに、領域抽出手段２３及びＭＰＥＧ圧縮／展開手段３３は、ハードウェア、ソフトウェアのどちらの方法で設けても良い。
【００７６】
ビデオプロセッサ４内には、ＰＣカード６への画像記録などの各種制御を行うＣＰＵ２７が設けられており、ビデオプロセッサ４の表面には映像記録の開始指示／停止指示を行うための記録開始／停止スイッチ３５が設けられている。但し、この記録開始／停止スイッチ３５は、スコープ２の表面に設ける方法でも良いし、キーボード３１等の入力手段に設けるなど他の方法でも良い。
【００７７】
内視鏡画像を記録するために記録開始／停止スイッチ３５が押されると、ＣＰＵ２７より第２のメモリ２６に記録開始指示信号が送出され、第２のメモリ２６から圧縮された映像データが読み出される。読み出された映像データは、開始タイミング付加回路９５をスルーした後、ドライバ２５を介してスロット７に装着されたＰＣカード６に送られ、ＣＰＵ２７が自由に決定した仮のファイル名によって記録が開始される。
【００７８】
そして、再び記録開始／停止スイッチ３５が押されると、ＣＰＵ２７より第２のメモリ２６に記録停止指示信号が送出され、第２のメモリ２６からの圧縮された映像データの読み出しが停止され、ＰＣカード６に対する映像データの記録も停止する。その後、ＣＰＵ２７からの指示により、文字重畳回路３４は図４に示すように記録する情報を選択するための画面を作成し、それをＤ／Ａ変換回路２８、ポストプロセス回路２９を経てＴＶモニタ３２に入力して、記録する情報が選択されるのを待機する。記録する情報の選択は、図４に示すように、診察情報及び被写体像を記録ボタン５０、診察情報のみ記録ボタン５１、被写体像のみ記録ボタン５２を、キーボード３１によって選択することによって行う。
【００７９】
診察情報が入力されていなければ、被写体像のみ記録ボタン５２のみを表示して選択させてもよいし、自動的に被写体像のみを記録するようにしてもよい。また、記録する情報の選択は、キーボード３１以外の他の入力手段によって選択しても良い。
【００８０】
ユーザーからキーボード３１により記録する情報が選択されると、ＣＰＵ２７は文字重畳回路３４より、図５に示すようなファイル名指定用の画面をＴＶモニタ３２に出力させ、ファイル名が入力されるのを待機する。ファイル名入力ボックス５４にキーボード３１よりファイル名の入力が行われ、記録ボタン６６が選択されると、ＣＰＵ２７はユーザーから選択された情報の記録を開始する。
【００８１】
診察情報のみ記録ボタン５１が選択されていた場合、ＣＰＵ２７は入力されていた診察情報を、ＨＴＭＬ形式でドライバ２５を介してスロット７に装着されたＰＣカード６へ記録し、ファイル名を入力されたファイル名にする。この場合、仮の名前でＰＣカード６に記録してあった映像データは診察情報を記録する前、或いは記録した後に削除する。
【００８２】
又は、被写体像のみ記録ボタン５２が選択されていた場合、ＣＰＵ２７は、既にＰＣカード６へ記録された映像ファイルに対して、ドライバ２５及びスロット７を介してファイル名を、ＣＰＵ２７の決定した仮のファイル名からファイル名入力ボックス５４に入力されたファイル名に変更する。
【００８３】
又は、診察情報及び被写体像を記録ボタン５０が選択されていた場合、前記のようにＣＰＵ２７は入力されていた診察情報を、ＨＴＭＬ形式でドライバ２５を介してスロット７に装着されたＰＣカード６へ記録し、ファイル名を入力されたファイル名にする。その後、既にＰＣカード６へ記録された映像ファイルに対して、ドライバ２５を介してファイル名を、ＣＰＵ２７の決定した仮のファイル名からファイル名入力ボックス５４に入力されたファイル名に変更する。
【００８４】
また、映像データを記録する際、本実施形態のように記録開始／停止スイッチ３５が最初に押されてから再び押されるまでの間の映像を仮のファイル名でＰＣカード６に記録するといった方法でなくとも、メモリを設けて、このメモリに仮に記録しておき、ファイル名が決定した段階でＰＣカード６へ記録するといった方法でも良い。
【００８５】
また、診察情報及び被写体像を記録ボタン５０が選択されていた場合には、診察情報又は映像データ中にお互いに対するリンク情報を付加する。例えば、ユーザーによって診察情報及び被写体像を記録ボタン５０が選択された後、ＣＰＵ２７は記録する診察情報の中に、ＨＴＭＬ形式による映像ファイルへのリンクを追加する。その後、前記のように診察情報の記録を行い、続いてＰＣカード６に記録された映像ファイルのファイル名を、ＣＰＵ２７の決定した仮のファイル名からファイル名入力ボックス５４に入力されたファイル名に変更する。この場合、診察情報は内視鏡映像を記録した後に記録するようにしても良い。
【００８６】
さらに、ユーザーはあらかじめ設定した時間遡った時点からの記録も可能である。記録開始／停止スイッチ３５が押されると、ＣＰＵ２７より第２のメモリ２６に記録開始指示信号とどの時点からの映像を記録するかに関する情報が送出される。第２のメモリ２６からは、ＣＰＵ２７からの情報に基づいて、指定された時間分遡った時点から圧縮された映像データが読み出され、開始タイミング付加回路９５に入力される。開始タイミング付加回路９５では、読み出された映像データに対して、記録開始／停止スイッチ３５が押された時点が映像データ中のどのシーンであるかを示す情報が付加され、ドライバ２５を介してスロット７に装着されたＰＣカード６に送られ、映像の記録が開始される。
【００８７】
そして、再び記録開始／停止スイッチ３５が押されると、ＣＰＵ２７より第２のメモリ２６に記録停止指示信号が送出され、第２のメモリ２６からの圧縮された映像データの読み出しが停止され、ＰＣカード６に対する映像データの記録も停止する。
【００８８】
時間を遡って記録した場合であっても、前記のように、第２のメモリ２６から映像データの読み出しが停止してＰＣカード６に対する映像データの記録が停止した後、図４に示すような記録情報の選択画面や、図５に示すようなファイル名指定画面をＴＶモニタ３２に表示させ、記録情報の選択や、診察情報と関連付けての記録や、ファイル名の指定を行う。それ以降の処理に関しては前記と同様なので省略する。
【００８９】
遡る時間に関しては、キーボード３１により予め指定しておく。キーボード３１により規定の操作を行うと、ＣＰＵ２７は文字重畳回路３４より図８に示すような画像記録用の設定画面の作成を指示する。文字重畳回路３４は設定画面を作成した後、それを映像信号として、Ｄ／Ａ変換回路２８、ポストプロセス回路２９を経てＴＶモニタ３２に入力する。
【００９０】
遡る時間は、フライング時間入力ボックス６４に値を入力することで指定することができる。遡る時間がキーボード３１により入力されると、ＣＰＵ２７は入力された時間をフライング時間入力ボックス６４に表示するための指示を文字重畳回路３４に対して行い、これによりＴＶモニタ３２の画面上には入力された時間がフライング時間入力ボックス６４に表示される。その後設定ボタン６５が選択されると、ＣＰＵ２７は入力されていた時間を記憶する。
【００９１】
設定時にキーボード３１より入力された情報を表示する手段はＴＶモニタ３２による表示以外に、ビデオプロセッサ４の表面にＬＥＤや液晶パネルなどの表示装置を設けてこれに表示する等の他の手段によって表示しても良い。
また、第２のメモリ２６は領域抽出手段２３とＭＰＥＧ圧縮／展開手段３３の間に置く構成でも良い。この場合、第２のメモリ２６から読み出された映像は、ドライバ２５を介してスロット７に装着されたＰＣカード６に記録される前に、ＭＰＥＧ圧縮／展開手段３３によりデータ圧縮される必要がある。或いは、第２のメモリ２６を第１のメモリ２２と兼用にする構成でも良い。さらに、映像記録の停止を指示する方法としては、記録中に記録開始／停止スイッチ３５を押す以外にも、記録開始と記録停止で別のスイッチを設ける等、別の方法でも良い。
【００９２】
さらに、図７に示す構成の電子内視鏡システム１では、既に映像或いは診察情報の記録されたＰＣカード６からこれらの情報を読み出し、ＴＶモニタ３２に表示する機能を備えている。ＰＣカード６がスロット７に装着された状態で、キーボード３１より読み出しの指示を行うと、ＣＰＵ２７はドライバ２５を介してＰＣカード６に記録されている情報を全て読み出し、文字重畳回路３４により、図６に示すようなサムネイル画面を生成してＴＶモニタ３２により表示させる。
【００９３】
サムネイル画面を表示する際、各ファイルの画像は、各ファイルに記録されている映像の代表画像を使用する。ファイル中に記録開始／停止スイッチ３５が押された時点を示す情報がある場合、代表画像として記録開始／停止スイッチ３５が押された時点のシーンを使用する。ファイル中に映像の記録を開始した時点を示す情報が無い場合、代表画像としてその映像の最初のシーンを使用する。但し、この場合の代表画像としては、必ずしも映像の最初のシーンである必要は無く、他の基準によって選択されたシーンでも良いし、ランダムに選択されたシーンでも良い。
【００９４】
図６に示すように、サムネイル画面では、記録画像５５の下にファイル名５６が表示され、それに並列してチェックボックス５７が描画される。但し、診察情報の記録されたファイルに対しては、ファイル名５６のみが表示され、それに並列してチェックボックス５７が描画される。各ファイルはキーボード３１からの操作により選択することが可能であり、選択されたファイルはチェックボックス５７にチェックが入る。ファイルが選択された後、キーボード３１より読み出しボタン５８を選択することによってファイルの読み出しが開始される。
【００９５】
読み出した情報が映像（ファイルの拡張子がｍｐｇに係るもの）であった場合、読み出された映像はＭＰＥＧ圧縮／展開手段３３に入力される。ＭＰＥＧ圧縮／展開手段３３では、圧縮された映像を伸長してＲＧＢデジタル信号に変換すると共に、読み出した動画に音声情報が含まれていた場合には、含まれている音声情報も音声信号に変換して出力する。
【００９６】
その後、ＲＧＢデジタル信号に変換された映像信号は文字重畳回路３４により読み出した映像の記録された日時などが文字情報として重畳され、Ｄ／Ａ変換回路２８でアナログ信号に変換される。アナログ信号に変換された映像信号は、ポストプロセス回路２９に入力されて標準的なビデオ信号に変換されてＴＶモニタ３２に出力される。文字重畳回路３４では、記録日時などの文字情報を重畳せずに、ＭＰＥＧ圧縮／展開手段３３から出力されたＲＧＢデジタル信号をスルー出力しても良い。読み出した動画に音声情報が含まれていた場合には、ＭＰＥＧ圧縮／展開手段３３により出力された音声信号はスピーカー４８に出力される。
【００９７】
また、読み出された映像の中に関連する診察情報を記録したファイルへのリンクが含まれていた場合には、ＣＰＵ２７はドライバ２５を介して当該ファイルの読み出しを行う。読み出された情報は文字重畳回路３４へ入力されて画像に重畳され、Ｄ／Ａ変換回路２８によりアナログ信号に変換された後、ポストプロセス回路２９により標準的なビデオ信号に変換されてＴＶモニタ３２に出力される。
【００９８】
読み出した情報が診察情報（ファイルの拡張子がｈｔｍｌに係るもの）であった場合には、ＣＰＵ２７はドライバ２５を介して読み出した情報を文字重畳回路３４へ入力する。文字重畳回路３４でその時点での内視鏡画像への重畳が行われた後、Ｄ／Ａ変換回路２８にてアナログ信号に変換され、ポストプロセス回路２９により標準的なビデオ信号に変換されてＴＶモニタ３２に出力される。文字重畳回路３４では、マスク処理などにより内視鏡画像部分を非表示にし、読み出された診察情報のみが表示されるようにしても良い。
【００９９】
また、読み出された診察情報の中に関連する映像へのリンクが含まれていた場合には、ＣＰＵ２７はドライバ２５を介して当該映像の読み出しを行い、読み出された映像はＭＰＥＧ圧縮／展開手段３３に入力される。ＭＰＥＧ圧縮／展開手段３３では、圧縮された映像を伸長し、ＲＧＢデジタル信号に変換する。その後、文字重畳回路３４により診察情報に係る文字の重畳が行われ、Ｄ／Ａ変換回路２８でアナログ信号に変換される。アナログ信号に変換された映像信号は、ポストプロセス回路２９に入力されて標準的なビデオ信号に変換されてＴＶモニタ３２に出力される。
【０１００】
なお、読み出したファイルに他の関連するファイルへのリンク情報が含まれていた場合でも、リンク先のファイルを開かないようにする方法でも良い。また、ファイルの読み出し時には、サムネイル画面から複数のファイルを選択し、読み出した複数のファイルを再びサムネイル化してＴＶモニタ３２に表示する方法でも良いし、読み出すファイルを選択するための画面も、画像をサムネイル化して表示するのではなく、ファイル名のみを羅列して表示する等他の表示方法でも良い。ファイルの選択方法もチェックボックスを使用せず、選択されたファイルのファイル名を反転表示させる等他の方法でも良い。
【０１０１】
以上、第２実施形態の構成によれば、電子内視鏡システム１本体となるビデオプロセッサ４に不揮発性可搬記録媒体であるＰＣカード６を着脱自在に装着でき、ＰＣカード６への内視鏡動画像や診察情報の記録、ＰＣカード６からの内視鏡動画像や診察情報の読み出し、内視鏡動画像や診断情報の閲覧等が可能である。
【０１０２】
また、ＰＣカード６への記録の際には、内視鏡動画像と診察情報を関連付けて記録することができ、また任意の領域に切り出した内視鏡動画像を記録することができ、また内視鏡動画像を任意の時間遡って記録することができ、また音声付き内視鏡動画像を記録することができる。また、ＰＣカード６からの読み出しの際には、音声付き内視鏡動画像を読み出すことができる。
【０１０３】
次に、本発明の第３実施形態について説明する。
図９は本発明の第３実施形態に係り、電子内視鏡システム内部の構成を示すブロック図である。
図９に示すように、電源切断検知回路３８は電源スイッチ３７と、２系統の電圧出力を備える電源装置３６に接続されており、電源装置３６は所定の時間を経時するためのカウンタ３９に接続されている。電源スイッチ３７が押されると、電源切断検知回路３８がそれを検知して、電源装置３６に電源を切断するための電源切断信号を送出すると共に、ＣＰＵ２７へ電源が切断されることを通知する電源切断通知信号を送出する。
【０１０４】
電源装置３６が出力する２系統の電圧は、図１０に示すように、電源切断の指示があった直後に電源が切断される出力Ａと、電源切断の指示があってからカウンタ３９により規定の時間が計時された後に電源が切断される出力Ｂとから成る。
【０１０５】
また、ＣＰＵ２７はドライバ２５を介してスロット７と接続されていると共に、スロット７にはＰＣカード６が着脱自在に装着されるようになっており、ＣＰＵ２７はドライバ２５を介してスロット７に装着されたＰＣカード６に対して情報の読み書きができるようになっている。
【０１０６】
ビデオプロセッサ４内の電源は、スロット７、ドライバ２５、ＣＰＵ２７、電源切断検知回路３８のみ出力Ｂにより供給され、その他の図示されていない回路はすべて出力Ａにより供給される。
電源装置３６は電源切断信号が入力されると、出力Ａの電源を切断し、カウンタ３９に対して計時を開始するための指示を送出する。この指示信号を受信したカウンタ３９は計時を開始し、規定の時間が計時されると計時完了を通知するための計時完了通知信号を電源装置３６へ送出する。電源装置３６は計時完了通知信号を受信した後に出力Ｂの電源を切断する。
【０１０７】
一方ＣＰＵ２７は、電源切断通知信号を受信した時にＰＣカード６に対して書き込み又は読み出しの処理を行っていた場合、直ちにその処理を中止する。ファイルを読み出している場合は直ちに開いているファイルを閉じて処理を中止し、ファイルを記録している場合は記録中のファイルをその時点で閉じて処理を中止する。さらに、ＣＰＵ２７は電源切断通知信号受信後の処理中止を、電源装置３６の出力Ａと出力Ｂの電源切断の時間差内に完了する。
【０１０８】
処理を中止する際の方法としては、直ちにファイルを閉じなくとも、記録中であれば記録途中のファイルを消去して処理を中止する等他の方法でも良いが、電源装置３６の出力Ａと出力Ｂの電源切断の時間差内に終了する処理とする。
また、ＣＰＵ２７が、電源切断通知信号を受信した時にＰＣカード６に対して書き込み又は読み出しの処理を行っていなかった場合、ＣＰＵ２７はそれ以降のＰＣカード６に対する処理をすべて禁止する。
【０１０９】
さらに、カウンタ３９によって計時する時間は回路構成上固定としても良いし、キーボード３１によって設定可能としても良い。この場合、キーボード３１によって時間が入力されると、ＣＰＵ２７はそれをカウンタ３９に設定し、カウンタ３９ではそれ以降入力された時間を計時する。設定する時間はＴＶモニタ３２上で設定画面を表示することによって設定しても良いし、ビデオプロセッサ４の表面にＬＥＤや液晶パネルなどの表示装置を設けてこれに表示する等の他の手段によって設定しても良い。
【０１１０】
以上、第３実施形態の構成によれば、ＰＣカード６に対して情報の読み書きを行っている時に、電源スイッチ３７が押されることによって電源が切断される場合も含め、何らかの事由により突然電源が切断されたとしても、ＰＣカード６内のデータを破壊することなく、安全にＰＣカード６に対する情報の読み書きを行うことが可能である。
【０１１１】
次に、本発明の第４実施形態について説明する。
図１１は本発明の第４実施形態に係り、電子内視鏡システム内部の構成を示すブロック図である。
図１１に示すように、電源スイッチ３７は、電源装置３６と接続されており、ＰＣカード６が着脱自在に装着されるスロット７はドライバ２５を介してＣＰＵ２７に接続されている。ＣＰＵ２７は、ドライバ２５を介してスロット７に装着されたＰＣカード６に対して情報の読み書きが出来るようになっており、書き込み中又は読み出し中には、電源装置３６へそのことを通知するために書き込み／読み出し通知信号を送出する。
【０１１２】
電源スイッチ３７が押されると、電源スイッチ３７より電源装置３６へ電源を切断するための電源切断信号が入力される。この時、ＣＰＵ２７より書き込み／読み出し通知信号が入力されていた場合、電源装置３６は直ちに電源を切断せずに待機する。その後、ＣＰＵ２７はＰＣカードに対する書き込み又は読み出し処理を終了させると、書き込み／読み出し通知信号の送出を停止し、電源装置３６は書き込み／読み出し通知信号の受信が終了後、電源を切断する。
【０１１３】
電源スイッチ３７が押され、電源装置３６へ電源切断信号が入力された時、電源装置３６がＣＰＵ２７より書き込み／読み出し通知信号を受信していなかった場合、電源装置３６は電源を切断する。
以上、第４実施形態の構成によれば、ＰＣカード６に対して情報の読み書きを行っている時に、誤って電源スイッチ３７を押してしまった場合にも、ＰＣカード６内のデータを破壊することなく、安全にＰＣカード６に対する情報の読み書きを行うことが可能である。
【０１１４】
次に、本発明の第５実施形態について説明する。
図１２は本発明の第５実施形態に係り、電子内視鏡システム内部の構成を示すブロック図である。
図１２に示すように、電源スイッチ３７は、電源装置３６と接続されており、ＰＣカード６が着脱自在に装着されるスロット７はドライバ２５を介してＣＰＵ２７に接続されている。また、ＣＰＵ２７はドライバ２５を介してスロット７に装着されたＰＣカード６に対して、情報の読み書きが出来るようになっている。
【０１１５】
電源スイッチ３７が押されると、電源スイッチ３７より電源装置３６へ電源を切断するための電源切断信号が入力される。電源装置３６は電源切断信号が入力されると、ＣＰＵ２７へ電源の切断を通知する電源切断通知信号を送出し、カウンタ３９へ時間計測の開始を指示するためのカウントアップ信号を送出する。
【０１１６】
カウンタ３９はカウントアップ信号を受信すると時間計測を開始し、規定の時間に到達すると、電源装置３６へ計時完了信号を送出する。電源装置３６は、カウンタ３９より計時完了信号を受信した後、電源を切断する。
一方ＣＰＵ２７は、電源切断通知信号を受信した時にＰＣカード６に対して書き込み又は読み出しの処理を行っていた場合、直ちにその処理を中止する。ファイルを読み出している場合は直ちに開いているファイルを閉じて処理を中止し、ファイルを記録している場合は記録中のファイルをその時点で閉じて処理を中止する。さらに、ＣＰＵ２７は電源切断通知信号受信後の処理中止を、カウンタ３９の時間計測が完了するまでに完了する。
【０１１７】
処理を中止する際の方法としては、直ちにファイルを閉じなくとも、記録中であれば記録途中のファイルを消去して処理を中止する等他の方法でも良いが、カウンタ３９の時間計測が完了するまでに終了する処理とする。
また、ＣＰＵ２７が、電源切断通知信号を受信した時にＰＣカード６に対して書き込み又は読み出しの処理を行っていなかった場合、ＣＰＵ２７はそれ以降のＰＣカード６に対する処理をすべて禁止する。
【０１１８】
以上、第５実施形態の構成によれば、ＰＣカード６に対して情報の読み書きを行っている時に、電源スイッチ３７が押されることによって電源が切断される場合も含め、何らかの事由により突然電源が切断されたとしても、ＰＣカード６内のデータを破壊することなく、安全にＰＣカード６に対する情報の読み書きを行うことが可能である。
【０１１９】
次に、本発明の第６実施形態について説明する。
図１３は本発明の第６実施形態に係り、電子内視鏡システム内部の構成を示すブロック図である。
図１３に示すように、ＣＰＵ２７はドライバ２５を介してＰＣカード６が着脱自在に装着されるスロット７に接続されており、ＣＰＵ２７はドライバ２５を介してスロット７に装着されたＰＣカード６に対して情報の読み書きが出来るようになっている。また、ＣＰＵ２７には、スロット７にＰＣカード６が装着されたことを自動的に検知する記録媒体検知回路４２も接続されている。
【０１２０】
さらに、ＣＰＵ２７は第３のメモリ４０及び第４のメモリ４１とも接続されており、第３のメモリ４０にはプログラムに関するデータ或いは患者又は診察に関する情報或いはシステムの設定データ（以下、纏めて内視鏡関連データと略記する）が記録されている。プログラムに関するデータとは、システムプログラム（いわゆるファームウェアも含む）、フォント情報や演算係数のようなシステムプログラムによって使用されるデータなどであり、患者又は診察に関する情報とは前記診察情報であり、システムの設定データとは電子内視鏡システムの動作設定に関わる情報である。
【０１２１】
第４のメモリ４１には、第３のメモリ４０に記録されている内視鏡関連データをアップデートする際に、ＣＰＵ２７が行わなければいけない処理が記述されたソフトウェア（プログラム）が記録されている。
ＣＰＵ２７を第４のメモリ４１に記録されたソフトウェアに基づいて動作させ、ＰＣカード６をスロット７に装着すると、記録媒体検知回路４２がそれを自動的に検知し、ＣＰＵ２７へＰＣカード６が装着されたことを通知する。ＣＰＵ２７はＰＣカード６が装着されたことを通知されると、第３のメモリ４０に記録されているデータをすべて消去する。
【０１２２】
第３のメモリ４０の内容が完全に消去されると、ＣＰＵ２７はドライバ２５を介して、ＰＣカード６に記録されたデータを読み出し、順次第３のメモリ４０に記録していく。その後、ＰＣカード６に記録されたデータをすべて読み出し、第３のメモリ４０への記録が完了すると、処理は終了する。
【０１２３】
尚、ここまでに説明した処理を行うにあたっては、図１３に示したソフトウェア検知回路４３とバージョン比較回路４４を省いて構成することができる。
また、スロット７に装着されたＰＣカード６には、常に内視鏡関連データが記録されているとは限らないため、ＰＣカード６に記録されているデータが、内視鏡関連データであるか否かを判定して、内視鏡関連データが記録されていた場合に限り、第３のメモリ４０の内容を更新することも可能である。その場合には、図１３に示すように、ソフトウェア検知回路４３を設ける。
【０１２４】
前記同様、ＣＰＵ２７を第４のメモリ４１に記録されたソフトウェアに基づいて動作させ、ＰＣカード６をスロット７に装着すると、記録媒体検知回路４２がそれを自動的に検知し、ＣＰＵ２７へＰＣカード６が装着されたことを通知する。ＣＰＵ２７はＰＣカード６が装着されたことを通知されると、ドライバ２５を介して、ＰＣカード６に記録された内容を読み出し、ソフトウェア検知回路４３へと入力する。
【０１２５】
その後、ソフトウェア検知回路４３によりＰＣカード６に記録されていた内容が内視鏡関連データであるか否かを判定し、結果をＣＰＵ２７へ通知する。ＰＣカード６に記録されていた内容が内視鏡関連データでなかった場合、ＣＰＵ２７はそこで処理を終了する。ＰＣカード６に記録されていた内容が内視鏡関連データであった場合、ＣＰＵ２７は第３のメモリ４０に記録されているデータをすべて消去する。
【０１２６】
第３のメモリ４０の内容が完全に消去されると、ＣＰＵ２７はドライバ２５を介して、ＰＣカード６に記録されたデータを読み出し、順次第３のメモリ４０に記録していく。その後、ＰＣカード６に記録されたデータをすべて読み出し、第３のメモリ４０への記録が完了すると、処理は終了する。
【０１２７】
尚、ここまでに説明した処理を行うにあたっては、図１３に示したバージョン比較回路４４を省いて構成することができる。
さらに、スロット７に装着されたＰＣカード６に内視鏡関連データが記録されていた場合であっても、それが第３のメモリ４０に記録されている内視鏡関連データよりも古いものであれば更新の必要はない。そのため、ＰＣカード６に記録されている内視鏡関連データのバージョンを、第３のメモリ４０に記録されている内視鏡関連データのバージョンと比較する手段を設けることにより、更新の必要がある場合のみ更新を行うようにすることも可能である。その場合には、図１３に示すように、バージョン比較回路４４を設ける。
【０１２８】
前記同様、ＣＰＵ２７を第４のメモリ４１に記録されたソフトウェアに基づいて動作させ、ＰＣカード６をスロット７に装着すると、記録媒体検知回路４２がそれを自動的に検知し、ＣＰＵ２７へＰＣカード６が装着されたことを通知する。ＣＰＵ２７はＰＣカード６が装着されたことを通知されると、ドライバ２５を介して、ＰＣカード６に記録された内容を読み出し、ソフトウェア検知回路４３へと入力する。
【０１２９】
その後、ソフトウェア検知回路４３によりＰＣカード６に記録されていた内容が内視鏡関連データであるか否かを判定し、結果をＣＰＵ２７へ通知する。ＰＣカード６に記録されていた内容が内視鏡関連データでなかった場合、ＣＰＵ２７はそこで処理を終了する。ＰＣカード６に記録されていた内容が内視鏡関連データであった場合、ＣＰＵ２７はドライバ２５を介してＰＣカード６より読み出した内視鏡関連データをバージョン比較回路４４へ入力する。
【０１３０】
バージョン比較回路４４は、ＰＣカード６より読み出した内視鏡関連データが入力されると、第３のメモリ４０に記録されている内視鏡関連データとバージョンの比較を行い、結果をＣＰＵ２７へ通知する。ＰＣカード６に記録されている内視鏡関連データのバージョンが第３のメモリ４０に記録されている内視鏡関連データのバージョンよりも古かった場合、ＣＰＵ２７はそこで処理を終了する。ＰＣカード６に記録されている内視鏡関連データのバージョンが第３のメモリ４０に記録されている内視鏡関連データのバージョンよりも新しかった場合、ＣＰＵ２７は第３のメモリ４０に記録されているデータをすべて消去する。
【０１３１】
第３のメモリ４０の内容が完全に消去されると、ＣＰＵ２７はドライバ２５を介して、ＰＣカード６に記録されたデータを読み出し、順次第３のメモリ４０に記録していく。その後、ＰＣカード６に記録されたデータをすべて読み出し、第３のメモリ４０への記録が完了すると、処理は終了する。
【０１３２】
前記の構成では、スロット７にＰＣカード６が装着されたことを記録媒体検知回路４２によって検知されると、自動的に内視鏡関連データの更新処理が開始されるが、電子内視鏡システムの表面に専用のスイッチを設け、ＰＣカード６を装着した状態でこのスイッチを押すことにより更新処理が開始されるような構成としても良いし、電子内視鏡システムの表面に専用のスイッチを設ける際も、キーボードなどの入力装置による操作等他の方法でも良い。また、ソフトウェア検知回路４３及びバージョン比較回路４４は、所望の機能によっては両者共に省いても良いし、とちらか一方のみ又は両者共に設けても良い。
【０１３３】
以上、第６実施形態に構成によれば、電子内視鏡システムのプログラムに関するデータ或いは患者又は診察に関する情報或いはシステムの設定データを更新することが可能である。
次に、本発明の第７実施形態について説明する。
【０１３４】
図１４、図１５は本発明の第７実施形態に係り、図１４は電子内視鏡システム全体の構成を示し、図１５は電子内視鏡システム内部の構成を示すブロック図である。
図１４を参照にして、全体ブロックの各機能を説明する。電子内視鏡装置６７は、図示されていないキーボード等で構成される操作部と、図示されていない内部に光学像を電気信号に変換し画像信号とする撮像素子を持つ挿入部と、操作部と挿入部からの信号を外部接続機器に必要な信号に変換出力する電子内視鏡装置本体で構成され、同操作部はＩＤＮｏ．等の被写体となっている患者の情報を操作者から受け取り患者情報信号として電子内視鏡装置本体へ出力する。
【０１３５】
挿入部は被写体となっている患者の体内に挿入されその撮影像を画像信号として電子内視鏡装置本体へ出力する。電子内視鏡装置本体は、挿入部から入力された画像信号を標準テレビ信号に変換し図示されていない表示装置並びに医療用画像記憶装置６８等に出力する。また、前記操作部から入力された患者情報信号を、接続されている外部機器に必要な信号形式に変換し出力する。更に、前記操作部或いは挿入部或いは図示されていない外部機器に取り付けられたスイッチからの信号により記録トリガー信号６９を出力する。
【０１３６】
医療用画像記憶装置６８は、電子内視鏡装置６７に接続され同電子内視鏡装置６７から出力された画像信号７３と患者情報信号７２を入力し、記録トリガー信号６９により画像信号７３に対し圧縮処理を施して患者情報信号７２と共に内部に一時記憶した後ファイルデータとして出力する。
【０１３７】
ファイルサーバー装置７０は、医療用画像記憶装置６８にネットワーク７１を介して接続され同医療用画像記憶装置６８から出力されたファイルデータを受け取り記憶管理する。
図１４、図１５を参照にして、医療用画像記憶装置６８内のブロックの各機能を説明する。
【０１３８】
医療用画像記憶装置６８は、電子内視鏡装置６７から送られて来る患者情報信号７２と記録トリガー信号６９を受け取り内部信号に変換する入力Ｉ／Ｆ部７４と、同電子内視鏡装置６７から送られて来る画像信号７３を入力しデジタル画像情報に変換し出力するＡ／Ｄ部７５と、同Ａ／Ｄ部７５から入力される画像情報を前記記録トリガー信号６９により一時的に蓄える画像メモリ部７６と、同画像メモリ部７６から読み出された画像情報をアナログ画像信号に変換し出力するＤ／Ａ部７７と、前記画像メモリ部７６から読み出された画像情報を所定の方式で情報圧縮する画像情報圧縮部７８と、画像情報圧縮部７８から出力された圧縮画像情報と入力Ｉ／Ｆ部７４から入力された患者情報を一時的に蓄える記憶メモリ部７９と、前記記憶メモリ部７９から読み出された圧縮画像情報と患者情報を所定のファイル形式で出力する為の、ネットワーク７１との接続に対応する  ＰＣ−ＬＡＮ  カード８０と、ＰＣ−ＬＡＮ  カード８０を接続する  ＰＣ  Ｃａｒｄ  Ｓｔａｎｄａｒｄ  準拠のスロットを持つＰＣカードＩ／Ｆ部８１と、前記各機能ブロック全体の制御等を行うＣＰＵ部８２で構成される。
【０１３９】
図１４と図１５を参照にして、医療用画像記憶装置６８で扱う画像情報並びに患者情報の流れを説明する。
図示されていない挿入部で被写体の光学像から電気信号に変換された画像情報は、電子内視鏡装置６７内で標準テレビ信号に変換され出力される。同電子内視鏡装置６７から画像信号７３として出力された画像情報は、医療用画像記憶装置６８内のＡ／Ｄ部７５でデジタル画像信号に変換され別途電子内視鏡装置６７から入力される記録トリガー信号６９により同装置内の画像メモリ部７６に記憶され、同画像メモリ部７６から読み出された画像情報は同装置内の画像情報圧縮部７８で所定の方式による情報量圧縮処理が施されて圧縮画像情報となり記憶メモリ部７９に記憶され、外部に接続されているファイルサーバー装置７０に転送されるまでの間保持される。そして、必要に応じて圧縮画像情報が記憶メモリ部７９から読み出され、ＣＰＵ部８２で所定のファイル形式に変換され、ＰＣカードＩ／Ｆ部８１と  ＰＣ−ＬＡＮ  カード８０を経由し医療用画像記憶装置６８外に出力される。医療用画像記憶装置６８から出力された圧縮画像情報は、ネットワーク７１を介して接続されたファイルサーバー装置７０に転送され、後述する患者情報と共に記憶管理される。
【０１４０】
図示されていないキーボード等で構成される操作部からＩＤＮｏ．等の被写体となっている患者の患者情報を操作者から受け取ると、それが患者情報信号７２として電子内視鏡装置６７から出力される。同電子内視鏡装置６７から出力された患者情報信号７２は、医療用画像記憶装置６８内の入力Ｉ／Ｆ部７４で入力処理が行われて患者情報となり、別途電子内視鏡装置６７から入力される記録トリガー信号６９により記憶メモリ部７９に記憶され、外部に接続されているファイルサーバー装置７０に転送されるまでの間保持される。そして、必要に応じて患者情報が記憶メモリ部７９から読み出され、ＣＰＵ部８２で所定のファイル形式に変換され、ＰＣカードＩ／Ｆ部８１と  ＰＣ−ＬＡＮ  カード８０を経由し医療用画像記憶装置６８外に出力される。医療用画像記憶装置６８から出力された患者情報は、ネットワーク７１を介して接続されたファイルサーバー装置７０に転送され、前述した圧縮画像情報と共に記憶管理される。
【０１４１】
前記ファイルデータの医療用画像記憶装置６８からファイルサーバー装置７０への転送は、ネットワーク７１を介して行われているが、このネットワーク７１を、電線等の有線ネットワークとする他に、無線ネットワークとすることも可能である。この場合、医療用画像記憶装置６８内のＰＣカードＩ／Ｆ部８１に、ＰＣ−ＬＡＮ  カード８０に代えて  ＰＣ  Ｃａｒｄ  Ｓｔａｎｄａｒｄ  準拠の無線  ＬＡＮ−ＰＣ  カード８３を挿入接続する事により対応する。
【０１４２】
ＰＣカードＩ／Ｆ部８１は  ＰＣ  Ｃａｒｄ  Ｓｔａｎｄａｒｄ  準拠のスロットを採用している。ＰＣ  Ｃａｒｄ  Ｓｔａｎｄａｒｄ  準拠のスロットはＰＣカードを着脱する事が前提となって仕様が決定されているので、基板上の半導体素子部品の交換の様に半田付けなどの特殊技術を必要とせず、ＰＣカードを電気的にも物理的にも安全に装着、或いは交換が可能である。
【０１４３】
更に、外部Ｉ／Ｆを  ＰＣ  Ｃａｒｄ  Ｓｔａｎｄａｒｄ  準拠のスロットで対応する事によりＩＥＥＥで規格化されている無線ＬＡＮ、以外にも  Ｂｌｕｅｔｏｏｔｈ、ＵＳＢ、ＳＣＳＩ、公衆回線用モデムなど、状況に応じた対応を行う事が出来る。
尚、前述のネットワーク７１を、有線ネットワークと無線ネットワークが混在するネットワークとすることも可能である。
【０１４４】
以上、第７実施形態の構成によれば、ＰＣ  Ｃａｒｄ  Ｓｔａｎｄａｒｄ  準拠のスロットに種々の機能を備えたＰＣカードを装着することにより、電子内視鏡システムに対して機能拡張を行うことが可能である。
次に、本発明の第８実施形態について説明する。
【０１４５】
図１６は本発明の第８実施形態に係り、電子内視鏡システム全体の構成を示すブロック図である。以下、図１６を参照して本実施形態を説明する。
図１６において、電子内視鏡システムは電子内視鏡装置６７と、医療用画像記憶装置６８を含んで構成され、電子内視鏡装置６７には通信する為の図示しない制御線がある。
【０１４６】
電子内視鏡装置６７からは、内視鏡画像の画像データ８４が常時、医療用画像記憶装置６８に送られていると共に、随時、管理情報８５として患者情報などが送られている。また、記録時にはレリーズ信号が送られてくるようになっている。
【０１４７】
医療用画像記憶装置６８がレリーズ信号を受けると、管理情報記録部９２は管理情報８５を、画像データ記録部９３は画像データ８４をそれぞれ取り込む。取り込みが完了すると、管理情報記録部９２は管理情報８５をＰＣカード６に記録し、同様に画像データ記録部９３は画像データ８４をＰＣカード６に記録する。また、医療用画像記憶装置６８は、累計情報生成部９４によって累計情報８６を管理し、総検査数８７、総記録枚数８８、１日の最大検査数８９、１検査の最大記録枚数９０などを管理している。医療用画像記憶装置６８が電子内視鏡装置６７からレリーズ信号を受けると、累計情報生成部９４は総記録枚数８８を計算し、ＰＣカード６に保存する。さらに、図示しない制御線によって電子内視鏡装置６７から検査の終了が通知されると、累計情報生成部９４は、総検査数８７と、検査中の枚数から１検査の最大記録枚数９０を計算し、ＰＣカード６に記録する。起動時には、累計情報生成部９４は、前日の検査数を検索し、１日の最大検査数８９を計算し、ＰＣカード６に記録する。記録されたデータはＰＣカード６を外部端末９１に挿入して利用することが可能である。
【０１４８】
以上、第８実施形態によれば、管理情報、画像データ、及び累計情報をＰＣカード６へ記録することができる。
本発明のすべての実施形態において、ＰＣカード６はコンパクトフラッシュ（登録商標）やＣＤ−ＲＷのような他の可搬性且つ不揮発性を有する記録媒体でも良く、キーボード３１はタッチパネル等の他の入力手段を用いても良い。
【０１４９】
また、第１実施形態及び第２実施形態において、診察情報の記録は、必ずしもＨＴＭＬ形式である必要は無く、例えばテキスト形式など他の形式でも良い。診察情報の記録時にそれに関連する静止画或いは動画へのリンク情報を付加する場合は、静止画或いは動画データの中にリンク情報を付加しても良いし、両方のデータにお互いへのリンク情報を付加しても良い。付加するリンク情報としては、必ずしもＨＴＭＬ形式によるリンクの追記である必要は無く、Ｗｉｎｄｏｗｓ（登録商標）のような市販のパーソナルコンピュータに用いられるＯＳ（  Ｏｐｅｒａｔｉｎｇ  Ｓｙｓｔｅｍ  ）のショートカットのようなものを作成しても良いし、タグ情報を有するファイルであればタグとして記録する等、他の方法によって記録しても良い。
【０１５０】
第８実施形態においては、管理情報生成部９２及び画像データ記録部９３及び累計情報生成部９４をそれぞれ別に設けたが、例えばＣＰＵによってこれらすべての機能を実現しても良い。また、医療用画像記憶装置６８において、情報を記録するための不揮発性メモリを更に備えるようにし、その不揮発性メモリに前述の管理情報、画像データ、累計情報の何れか一つ又は複数を記録するようにすることも可能である。また、医療用画像記憶装置６８をネットワークに接続すると共に、ネットワーク上のサーバー装置に対してデータの送信を行い、前述の管理情報、画像データ、累計情報の何れか一つ又は複数を、そのネットワーク上のサーバー装置に記録する手段を更に医療用画像記憶装置６８に備えるようにしても良い。
【０１５１】
（付記１（１８））  被写体像を撮像する内視鏡撮像手段と、
前記内視鏡撮像手段からの画像信号に対して画像処理を行う内視鏡画像処理装置と、
を備え、
前記内視鏡画像処理装置は、
プログラムに関するデータ或いは患者又は診察に関する情報或いはシステムの設定データが記録されているメモリ部と、
可搬不揮発性記録媒体が着脱可能であると共に、前記可搬不揮発性記録媒体からデータを読み出して前記メモリ部に記録するアクセス制御手段と、
を有する、
ことを特徴とする電子内視鏡システム。
【０１５２】
（付記２）  前記アクセス制御手段は、
前記可搬不揮発性記録媒体が装着されたことを認識する手段と、
前記可搬不揮発性記録媒体装着時に自動で前記可搬不揮発性記録媒体から前記データを読み出して前記メモリ部に記録する手段と、
を有する、
ことを特徴とする付記１に記載の電子内視鏡システム。
【０１５３】
（付記３）  前記内視鏡画像処理装置は、
前記可搬不揮発性記録媒体に記録されたデータがプログラムに関するデータ或いは患者又は診察に関する情報或いはシステムの設定データであることを認識する情報認識手段と、
前記可搬不揮発性記録媒体から読み出された前記データがプログラムに関するデータ或いは患者又は診察に関する情報或いはシステムの設定データでなかった場合に、前記メモリ部への記録を中止する手段と、
を更に有する、
ことを特徴とする付記１に記載の電子内視鏡システム。
【０１５４】
（付記４）  前記内視鏡画像処理装置は、
前記可搬不揮発性記録媒体に記録されたプログラムに関するデータが前記メモリ部に記録されているプログラムに関するデータよりも新しいものかを判断する認識手段と、
前記可搬不揮発性記録媒体から読み出された前記プログラムに関するデータが前記メモリ部に記録されている前記プログラムに関するデータよりも古かった場合に、前記メモリ部への記録を中止する手段と、
を更に有する、
ことを特徴とする付記１に記載の電子内視鏡システム。
【０１５５】
（付記５（２０））  可搬不揮発性記録媒体が着脱可能であると共に前記可搬不揮発性記録媒体に対してデータの記録を行うアクセス制御手段と、
装置又は接続された外部装置又は前記可搬不揮発性記録媒体を管理する管理情報を生成する管理情報生成手段と、
を備え、
前記アクセス制御手段は前記管理情報を前記可搬不揮発性記録媒体へ記録する手段を有する、
ことを特徴とする電子内視鏡システム。
【０１５６】
（付記６）  情報を記録するための不揮発性メモリ部、
を更に備え、
前記管理情報生成手段は前記管理情報を前記不揮発性メモリ部へ記録する手段を有する、
ことを特徴とする付記５に記載の電子内視鏡システム。
【０１５７】
（付記７）  ネットワークに接続すると共にネットワーク上のサーバー装置に対してデータの送信を行い、前記管理情報生成手段によって生成された前記管理情報を前記ネットワーク上のサーバー装置に記録する手段、
を更に有する、
ことを特徴とする付記５に記載の電子内視鏡システム。
【０１５８】
以上、本発明の電子内視鏡システムについて詳細に説明したが、本発明は上記実施形態に限定されず、本発明の要旨を逸脱しない範囲において、各種の改良及び変更を行っても良いのはもちろんである。
【０１５９】
【発明の効果】
以上、詳細に説明したように、本発明によれば、電子内視鏡システム本体にＰＣカードなどの不揮発性可搬記録媒体を着脱自在に装着でき、内視鏡画像や診断情報の記録、閲覧、印刷、さらに内視鏡関連データのアップデートや電子内視鏡システムの機能拡張が可能であると共に、内視鏡画像の記録、閲覧中の電源切断に対してもデータが破壊されないようにデータ破壊を防止することが可能になる。
【図面の簡単な説明】
【図１】本発明の第１実施形態に係る電子内視鏡システムの構成を示す斜視図である。
【図２】電子内視鏡システム全体の構成を示すブロック図である。
【図３】診察に関する情報の表示例を示す図である。
【図４】記録する情報を選択する画面の表示例を示す図である。
【図５】記録する情報のファイル名を入力する画面の表示例を示す図である。
【図６】読み出すファイルを選択する画面の表示例を示す図である。
【図７】本発明の第２実施形態に係る電子内視鏡システム全体の構成を示すブロック図である。
【図８】記録時の抽出領域に関する設定を行う画面の表示例を示す図である。
【図９】本発明の第３実施形態に係る電子内視鏡システム内部の構成を示すブロック図である。
【図１０】電源切断時の２つの出力電圧の関係を示すタイミングチャートである。
【図１１】本発明の第４実施形態に係る電子内視鏡システム内部の構成を示すブロック図である。
【図１２】本発明の第５実施形態に係る電子内視鏡システム内部の構成を示すブロック図である。
【図１３】本発明の第６実施形態に係る電子内視鏡システム内部の構成を示すブロック図である。
【図１４】本発明の第７実施形態に係る電子内視鏡システム全体の構成を示すブロック図である。
【図１５】本発明の第７実施形態に係る電子内視鏡システム内部の構成を示すブロック図である。
【図１６】本発明の第８実施形態に係る電子内視鏡システム全体の構成を示すブロック図である。
【符号の説明】
１      電子内視鏡システム
２      スコープ
３      光源装置
４      ビデオプロセッサ
５      記録スイッチ
６      ＰＣカード
７      スロット
８      ライトガイド
９      挿入部
１０    対物レンズ
１１    ＣＣＤ
１２    信号線
１３    内視鏡側コネクタ
１４    ビデオプロセッサ側コネクタ
１５    プリアンプ回路
１６    プリプロセス回路
１７    Ａ／Ｄ変換回路
１８    Ｙ／Ｃ分離回路
１９    ＲＧＢマトリクス回路
２０    ホワイトバランス調整回路
２１    デジタル映像処理回路
２２    第１のメモリ
２３    領域抽出手段
２４    ＪＰＥＧ圧縮／展開手段
２５    ドライバ
２６    第２のメモリ
２７    ＣＰＵ
２８    Ｄ／Ａ変換回路
２９    ポストプロセス回路
３０    プリンタ
３１    キーボード
３２    ＴＶモニタ
３３    ＭＰＥＧ圧縮／展開手段
３４    文字重畳回路
３５    記録開始／停止スイッチ
３６    電源装置
３７    電源スイッチ
３８    電源切断検知回路
３９    カウンタ
４０    第３のメモリ
４１    第４のメモリ
４２    記録媒体検知回路
４３    ソフトウェア検知回路
４４    バージョン比較回路
４５    マイク
４６    プリアンプ回路
４７    Ａ／Ｄ変換回路
４８    スピーカー
４９    診察情報表示
５０    診察情報及び被写体像を記録ボタン
５１    診察情報のみ記録ボタン
５２    被写体像のみ記録ボタン
５３    内視鏡画像
５４    ファイル名指定ボックス
５５    記録画像
５６    ファイル名
５７    チェックボックス
５８    読み出しボタン
５９    印刷ボタン
６０    ｘ座標入力ボックス
６１    ｙ座標入力ボックス
６２    幅入力ボックス
６３    高さ入力ボックス
６４    フライング時間入力ボックス
６５    設定ボタン
６６    記録ボタン
６７    電子内視鏡装置
６８    医療用画像記憶装置
６９    記録トリガー信号
７０    ファイルサーバー装置
７１    ネットワーク
７２    患者情報信号
７３    画像信号
７４    入力Ｉ／Ｆ部
７５    Ａ／Ｄ部
７６    画像メモリ部
７７    Ｄ／Ａ部
７８    画像情報圧縮部
７９    記憶メモリ部
８０    ＰＣ−ＬＡＮ  カード
８１    ＰＣカードＩ／Ｆ部
８２    ＣＰＵ部
８３    無線  ＬＡＮ−ＰＣ  カード
８４    画像データ
８５    管理情報
８６    累計情報
８７    総検査数
８８    総記録枚数
８９    １日の最大検査数
９０    １検査の最大記録枚数
９１    外部端末
９２    管理情報記録部
９３    画像データ記録部
９４    累計情報生成部
９５    開始タイミング付加回路
【図１】
2005013573.tif 000003
【図２】
2005013573.tif 000004
【図３】
2005013573.tif 000005
【図４】
2005013573.tif 000006
【図５】
2005013573.tif 000007
【図６】
2005013573.tif 000008
【図７】
2005013573.tif 000009
【図８】
2005013573.tif 000010
【図９】
2005013573.tif 000011
【図１０】
2005013573.tif 000012
【図１１】
2005013573.tif 000013
【図１２】
2005013573.tif 000014
【図１３】
2005013573.tif 000015
【図１４】
2005013573.tif 000016
【図１５】
2005013573.tif 000017
【図１６】
2005013573.tif 000018